(57)【要約】【課題】注釈付けをより効果的に行える投影型表示システムおよび方法を提供する【解決手段】本発明が提供するシステムは、通常、可視光を制御するとともに、投影された光信号を感知するように構成されたディスプレイを含む。このディスプレイは、ライブ投影イメージに関連する光信号を、ディスプレイに付随のメモリに記憶し、記憶された光信号に対応して可視光を制御し、静止した投影画像を形成することによって投影イメージを静止するように適合される。【選択図】図１
2004139072.tif 000002
【特許請求の範囲】
【請求項１】
　投影イメージソースと併せて使用する表示システムであって、可視光を制御するとともに、投影された光信号を感知するように構成されたディスプレイを備え、該ディスプレイは、ライブ投影イメージに関連する前記光信号を、前記ディスプレイに付随のメモリに記憶し、前記記憶された光信号に対応して可視光を制御し、静止投影イメージを形成することにより、前記ライブ投影イメージを静止するように適合された、表示システム。
【請求項２】
　表示システムであって、注釈信号を介して注釈データを前記ディスプレイに送ることにより、前記静止投影イメージに注釈を付けるように構成された注釈装置をさらに備えた請求項１記載の表示システム。
【請求項３】
　表示システムであって、前記ディスプレイは、前記注釈信号を受け取り、前記静止投影イメージを表示しながら、同時に前記ディスプレイに前記注釈データを注釈イメージとして表示するように構成された、請求項２記載の表示システム。
【請求項４】
　表示システムであって、前記ディスプレイは複数の表示セルを含み、該表示セルはそれぞれ、前記ライブ投影イメージに関連する光ならびに前記注釈信号を感知するように構成された光センサを備えた、請求項３記載の表示システム。
【請求項５】
　表示システムであって、前記表示セルはそれぞれ、光を生成するように構成された発光素子をさらに備えた、請求項４記載の表示システム。
【請求項６】
　ディスプレイにおいて使用する表示セルであって、投影イメージソースからライブ投影イメージの少なくとも一部を含む光信号を検知するように構成された光センサであって、注釈装置から注釈信号を検知するようにさらに構成された光センサと、該表示セルの前記光センサを介して受け取った投影イメージデータを記憶するように構成されたイメージデータメモリと、該表示セルの前記光センサを介して受け取った注釈データを記憶するように構成された注釈データメモリと、前記投影イメージデータおよび／または前記注釈データに基づいて可視光を生成するように構成された発光素子と、を備えた表示セル。
【請求項７】
　表示セルであって、前記イメージデータメモリおよび／または前記注釈データメモリに記憶されたデータを、前記発光素子を介して表示するものとして選択するように構成されたマルチプレクサをさらに備えた請求項６記載の表示セル。
【請求項８】
　ディスプレイと併せて使用する表示方法であって、ディスプレイの光投影信号を感知するステップと、前記光投影信号に基づいてライブ投影イメージを表示するステップと、前記ライブ投影イメージのフレームを前記ディスプレイに付随のメモリバッファにバッファリングするステップと、前記ライブ投影イメージの少なくとも一部の表示を停止し、前記メモリバッファに記憶された前記バッファリングされたフレームに基づいて静止投影イメージを表示することにより、前記ライブ投影イメージを静止するステップと、を含む表示方法。
【請求項９】
　表示方法であって、注釈データを含む注釈信号を感知することをさらに含む請求項８記載の表示方法。
【請求項１０】
　表示方法であって、前記注釈データを前記ディスプレイ上に注釈イメージとして表示することをさらに含む請求項９記載の表示方法。
【発明の詳細な説明】
【技術分野】
【０００１】
　　本発明は、投影型の表示システムおよび方法に関する。
【背景技術】
【０００２】
　近年、コンピュータベースのプレゼンテーションを聴衆に向けて行うためのマルチメディアプロジェクタが普及してきた。プロジェクタを使用しての資料の提示は、プレゼンテーションソフトウェアを含むコンピュータと組み合わせて行われることが多い。多くの場合では、マルチメディアプレゼンテーションの最中に、表示されているイメージに注釈を付けることが望ましくなる。従来のプロジェクタ方法では、プレゼンタが、プロジェクタのイメージソースとして使用されているコンピュータ上のプレゼンテーションソフトウェアを使用して、提示されているイメージに注釈を付ける必要があった。
【発明の開示】
【発明が解決しようとする課題】
【０００３】
　通常、プレゼンテーションソフトウェアを使用しての注釈付けは、プレゼンタがこのような注釈を入力するためにコンピュータまで移動しなければならないことが多いため不便なものであり、これによりプレゼンテーションの質が下がる可能性がある。さらに、このようなイメージへの注釈付けでは、プレゼンテーションのソースファイルに変更を加える必要がある場合があり、これは望ましくないであろう。あるいは、注釈を付けるべきイメージがホワイトボードまたはフリップチャート上に投影され、注釈付けが投影面上で行われる場合がある。しかしこの手法では、イメージの品質が劣化する、投影イメージが邪魔される、また注釈が見づらくなる場合がある。
【０００４】
　本発明の目的は、かかる問題点を克服する投影型表示システムおよび方法を提供することである。
【課題を解決するための手段】
【０００５】
　本システムは、通常、可視光を制御するとともに、投影された光信号を感知するように構成されたディスプレイを含み、このディスプレイは、ライブ投影イメージに関連する光信号を、ディスプレイに付随のメモリに記憶し、記憶された光信号に対応して可視光を制御し、静止した投影画像を形成することによって投影イメージを静止するように適合される。
【発明を実施するための最良の形態】
【０００６】
　図１は、本発明の一実施形態による表示システム１０を示す。システム１０は、光通信リンク１６を介してイメージソース１４によりディスプレイに送られるイメージを表示するように構成されたディスプレイ１２を含む。ディスプレイ１２は通常、可視光を制御するとともに、投影された光投影信号を感知するように構成される。ディスプレイは、ライブ投影イメージに関連する光投影信号を、ディスプレイに付随のメモリに記憶し、記憶された光投影信号に対応して可視光を制御し、静止投影イメージ１８を形成することにより、イメージソース１４からライブ投影イメージを静止するようにさらに適合される。
【０００７】
　システム１０は通常、光信号であり得る注釈信号２２を介して注釈データをディスプレイ１２に送ることによって、静止投影イメージに注釈を付けるように構成された注釈装置（annotation implement）２０をさらに備える。ディスプレイは、静止投影イメージを表示しながら、それと同時に注釈信号を受け取り、注釈データを注釈イメージ２６としてディスプレイ上に表示するように構成される。注釈イメージは通常、静止投影イメージの上に重ねられるが、代替として、静止投影イメージの背後、側方、上方、下方、またはある他の向きで配置してよい。通常、注釈イメージは不透明であるが、代替として、部分的に透明であってもよい。システム１０を使用するには、通常、ユーザ２４が、注釈装置２０をディスプレイ１２の近傍に配置し、注釈装置２０を動かして、静止投影イメージ上に注釈２６を描画するか、あるいは消去する。
【０００８】
　イメージソース１４は、通常、光通信リンク１６を通して送られた光投影信号を介してディスプレイ１２にイメージを送るように構成された光学プロジェクタである。光通信リンクは不可視の光通信リンクであってよく、光信号は符号化イメージデータであってよく、または光通信リンクは、光信号がディスプレイ１２上に直接投影される可視光である可視光リンクであってもよい。不可視光が使用される場合、光通信リンクは通常、赤外線スペクトルであるが、他の適した周波数スペクトルを使用してもよい。イメージは光通信リンクを介して送られるため、本明細書ではディスプレイに「投影される（be projected）」と記す。したがって、本明細書にて使用する「投影イメージ("projected image" and "projection image")」なる語は、イメージが赤外線光等の不可視光で符号化された光投影信号を使用して送られるか、それとも光投影信号が可視光として直接投影されるかに関わりなく、イメージソース１４から光通信リンク１６を介してディスプレイ１２に送出されるイメージを指すものとして用いられる。
【０００９】
　図２に示すように、通常、ディスプレイ１２は、ユーザによるディスプレイ１２の動作制御を可能にするように構成された複数のセレクタ３０を含む制御モジュール２８を備える。セレクタ３０は通常、自走(free run)モードセレクタ３０ａ、投影静止／注釈追加モードセレクタ３０ｂ、注釈付き自走セレクタ３０ｃ、注釈消去セレクタ３０ｄ、および注釈ページ変更セレクタ３０ｅを含む。
【００１０】
　また図２に示すように、ディスプレイ１２は、以下に詳細に考察する複数の表示セル４２も備えることができる。通常、これら表示セルは、以下に述べるように、投影イメージソース１４および注釈装置２０等の装置によって生成された光信号により光学的にアドレス指定することが可能である。こうして、投影イメージソース１４は、任意のまたはすべての表示セル４２に個々にアドレス指定された光投影信号を送出することができる。表示セルは、以下に詳細に考察するように、センサ４４（図４に示す）を介してこういった光信号を受け取り、発光素子４６（図６に示す）を介して対応する光を発することができる。
【００１１】
　図３に示すように、注釈装置２０は、スタイラス２０ａの形態をとることができる。スタイラス２０ａは通常、複数の色の中から注釈の色を選択するように構成されたカラーセレクタ３２を備える。通常、ディスプレイは選択された注釈の色を表示するように構成される。スタイラス２０ａは、この手段がディスプレイ１２上に注釈を描画するように構成される描画モードか、注釈イメージ２６の部分を消去するように構成される消去モードかをユーザが選択できるように構成された描画／消去セレクタ３４をさらに備えることができる。消去モード中では、注釈信号２２を消去信号２２ｂと呼ぶことができる。通常、スタイラス２０ａは、無線信号の注釈信号２２を発するように構成されている。スタイラス２０ａは、赤外線信号等の光注釈信号２２を発するように構成された光エミッタ３６を備えることができる。以下に考察するように、ディスプレイは通常、光注釈信号を受け取るように構成された複数の光センサを備える。通常、注釈信号２２は、ディスプレイの複数の表示セル４２のそれぞれの中に含まれた光学的にアドレス指定可能なセンサに送られる。注釈信号を感知した表示セルは、注釈イメージ２６の一部として注釈データを表示するように構成されている。
【００１２】
　スタイラス２０ａの代替として、またはこれに追加して、システム１０は、消去手段２０ｂの形で形成された注釈装置を備えることができる。消去手段２０ｂは通常、エミッタ４０から投影された消去信号２２ｂを介してディスプレイに消去データを送ることによって、注釈イメージ２６の少なくとも一部を消去するように構成される。通常、消去信号２２ｂは、ディスプレイの複数の表示セルのそれぞれの中に含まれた光学的にアドレス指定可能なセンサに送られる光信号（たとえば赤外線）である。消去信号２２ｂは通常、消去信号を受け取った表示セル４２に対応する注釈データ２６の部分をディスプレイ１２に消去させるように構成される。通常、消去手段２０ｂは、ユーザが注釈イメージ２６の一部を選択的に消去することができるように、注釈信号をオン／オフに切り換えるように構成されたオン／オフスイッチ３８を備える。
【００１３】
　図４に示すように、各表示セル４２は、光通信リンク１６を介して、ライブ投影イメージの少なくとも一部に対応する光投影信号を受け取るように構成されたセンサ４４を備えることができる。光投影信号は、上に述べたように可視光であっても、または不可視光であってもよい。センサ４４は通常、赤外線センサ等の光センサである。通常、センサ４４は、上に述べたように、光注釈信号２２を受け取るようにも構成される。
【００１４】
　各表示セル４２は、光を生成するように構成された発光素子４６も備えることができる。表示セル４２は、透過型（すなわち、光を透過するように構成される）であっても、反射型（すなわち、光を反射するように構成される）であっても、またはこれらの組み合わせであってもよいことが認められよう。通常、各表示セルは、表示セルの光センサを介して受け取った投影イメージデータを記憶するように構成されたイメージデータメモリ４８と、同様に表示セル４２の光センサを介して受け取った注釈データを記憶するように構成された注釈データメモリ５０とをさらに備えることができる。加えて、各表示セル４２は、イメージデータメモリあるいは注釈データメモリから表示セルが表示する光データを選択するように構成されたマルチプレクサ５２を備えることができる。通常、制御モジュール２８を介してのユーザによる動作モードの選択により、マルチプレクサ５２が、表示する光データをイメージデータメモリから選択するか、それとも注釈データメモリから選択するかが制御される。
【００１５】
　たとえば、図５および図６に示すように、セレクタ３０ａを選択すると、ディスプレイ１２は、自走動作モード５４になるように構成され、マルチプレクサ５２は、センサ４４から自走入力６２を直接選択するように構成されることができる。これにより、ディスプレイ１２はイメージソース１４からライブ投影イメージを表示することになり得る。セレクタ３０ｂを選択すると、ディスプレイ１２は、投影静止・注釈追加動作モード５６になり、マルチプレクサは投影静止・注釈イメージ入力６４を選択するように構成され、これによりイメージデータメモリおよび注釈データメモリの両方が提供される。この結果、静止した投影イメージ１８ならびにユーザ編集可能な注釈イメージ２６が表示される。イメージソース１４は、ディスプレイが投影静止動作モードで動作している場合、ライブ投影イメージのすべてまたは一部の投影を停止するように構成することができる。通常、投影静止・注釈追加動作モード５６から自走動作モード５４を選択すると、ディスプレイはそれまで表示されていた静止投影イメージの少なくとも一部の表示を停止する。実際には、静止投影イメージ全体をディスプレイから除去して、ライブ投影イメージで置き換えることができる。
【００１６】
　セレクタ３０ｃが選択されると、ディスプレイは、注釈付き自走動作モード５８になるように構成され、マルチプレクサ５２は、自走入力６６を有する静止注釈イメージを選択するように構成されることができ、これにより静止注釈イメージおよびライブ投影イメージが表示される。通常、ディスプレイ全体がライブ投影イメージおよび静止注釈イメージの両方を表示することになる。代替として、注釈付き自走動作モード中にディスプレイの一部のみにライブ投影イメージおよび／または静止注釈イメージを表示させることも可能である。
【００１７】
　注釈消去セレクタ３０ｄが選択されると、ディスプレイは、注釈メモリ５０からすべての注釈データを消去するように構成され得る。ディスプレイは、イメージデータメモリ４８から静止投影イメージを消去するようにも構成することが可能である。
【００１８】
　図示のように、ディスプレイ１２は、２６ａで示す複数の注釈イメージページを記憶するように構成された注釈データメモリ５０を備えることができる。注釈ページ変更セレクタ３０ｅが選択されると、ディスプレイは、ページ変更動作モード６０になるように構成され、ユーザは、複数の注釈イメージページの中から表示する注釈イメージを選択することができる。ディスプレイは、一度に複数の注釈イメージページを表示するように構成することも、またはそれぞれを連続して表示するように構成することも可能である。注釈イメージページの表示は、不透明であっても、または部分的に透明であってもよい。こういった注釈イメージは、互いの上に重ねて表示することができるが、代替として、互いに隣接して表示してもよい。
【００１９】
　加えて、ディスプレイは、１８ａで示す複数の静止投影イメージページを記憶するイメージデータメモリを備えることができる。ディスプレイは、複数の静止投影イメージページの中から表示する静止投影イメージを選択するように構成されたセレクタを制御モジュール２８上に含むこともできる。
【００２０】
　ディスプレイ１２は、図６において６８で示す、前もって体裁が整えられた１つまたは複数の背景注釈イメージおよび／または前景注釈イメージを表示するように構成することが可能である。通常、こういった背景／前景イメージは注釈データメモリに記憶され、たとえば、電子方眼紙、電子定規等をライブ投影イメージの背後、前面、または隣に表示する際に使用することができる。
【００２１】
　図７は、本発明の一実施形態によるディスプレイと併せて使用する表示方法１００を示す。通常、方法１００は、１０２において、発光型ディスプレイのライブ投影イメージの光投影信号を感知または検知することを含む。通常、光投影信号は、上に述べたように赤外線信号である。ライブ投影イメージの光投影信号は通常、ディスプレイ１２の複数の表示セルそれぞれに関連する光センサで受け取られる。
【００２２】
　１０４において、この方法は、光投影信号に基づいてライブ投影イメージを表示することを含む。通常、イメージの表示は、各発光素子４６を、集合的にライブ投影イメージを形成するに適切な色で発光させることによってなされる。したがって、各表示セルの各センサが受け取る光投影信号は、表示セルの発光素子４６に、他の表示セルから発せられる光と共にライブ投影イメージを形成するに適した色および強度の光を発光させるために必要な光データを含む。
【００２３】
　１０６において、この方法は、ディスプレイに対応付けられたメモリバッファにライブ投影イメージフレームをバッファリングすることを含む。通常、ライブ投影イメージフレームは、各センサで受け取った投影光信号を、各ピクセルまたは表示セルに付随の表示メモリに一時的に記憶することによって、ピクセル（または表示セル）単位でバッファリングされる。
【００２４】
　１０８において、この方法は、ライブ投影イメージの少なくとも一部の表示を停止し、イメージデータメモリバッファに記憶されているバッファリングされたフレームに基づいて静止投影イメージを表示することによって、ライブ投影イメージを静止することを含む。
【００２５】
　１１０において、この方法は、注釈装置からの注釈データを含む注釈信号を感知または検知することを含む。通常、注釈信号もまた、赤外線信号等の光信号であり、上に述べたように光センサによって感知される。
【００２６】
　１１２において、この方法は通常、静止投影イメージを表示しながら、これと同時にディスプレイ上に注釈イメージとして注釈データを表示することを含む。１１４において、この方法は通常、静止注釈イメージとして注釈イメージを静止することを含む。１１６において、通常この方法は、各ピクセルまたは各表示セルに関連する注釈メモリに静止注釈イメージを記憶することを含む。１１８において、この方法は、静止注釈イメージをディスプレイ上に表示しながら、同時にライブ投影イメージの表示を再開することをさらに含む。
【００２７】
　本発明の実施形態について具体的に図示し説明したが、当業者は、併記の特許請求の範囲に規定される本発明の理念および範囲から逸脱することなく、多くの変形を行い得ることを理解しよう。したがって、本説明は、本明細書に記した要素の新規および非自明な組み合わせをすべて包含するものと理解されるべきであり、特許請求の範囲は、こういった要素の新規および非自明の組み合わせすべてに対して本願および後願に提示することができる。上記実施形態は例示的なものであり、単一の特徴または要素は、本願または後願において請求され得ると考えられるすべての組み合わせにとって重要ではない。上記実施形態は例示的なものであり、単一の機構または要素は、本願または後願において特許権請求されうるすべての可能な組み合わせにとって重要ではない。特許請求の範囲において「１つ(a)」または「第１の(a first)」要素またはこれと等価物が使用される場合、かかる特許請求の範囲は、２つ以上のかかる要素が必要なわけでもなく、また２つ以上のかかる要素を除外することもなく、１つまたは複数のかかる要素の組み込みを含むものと理解すべきである。
【図面の簡単な説明】
【００２８】
【図１】本発明の一実施形態による表示システムの等角図である。
【図２】図１に示すディスプレイの制御モジュールおよび表示セルを示すより詳細な断片の平面図である。
【図３】本発明の一実施形態による注釈装置および消去手段の等角図である。
【図４】図１に示すディスプレイの表示セルのブロック図である。
【図５】図１に示す表示システムの動作状態図である。
【図６】図４に示す表示セルのより詳細な模式図である。
【図７】本発明の一実施形態による表示方法を示すフローチャートである。
【符号の説明】
【００２９】
１０　表示システム
１２　ディスプレイ
１４　投影イメージソース
１６　光通信リンク
１８　静止投影イメージ
２０　注釈装置
２２　注釈信号
２６　注釈イメージ
２８　制御モジュール
【図１】
2004139072.tif 000003
【図２】
2004139072.tif 000004
【図３】
2004139072.tif 000005
【図４】
2004139072.tif 000006
【図５】
2004139072.tif 000007
【図６】
2004139072.tif 000008
【図７】
2004139072.tif 000009